(57)【要約】【課題】  メモリ性液晶のリセット時に発生する電流を低減することができる表示装置を得る。【解決手段】  メモリ性液晶２０１とこれを駆動する駆動制御回路２０２により構成された表示部１０に、電源ユニット２０４から電源供給し、外部の制御装置２００により、リセット時のリセット条件として、リセットパルス幅、リセット分割数、リセット遅延幅、リセット回数などを与えることにより、駆動制御回路２０２は、これに基きメモリ性液晶２０１を画面分割し、分割された画面を時分割駆動して、リセット時の消費電力を最適化することにより低消費電力を実現することができる。【選択図】図１
2006323071.tif 000002
【特許請求の範囲】
【請求項１】
メモリ性液晶により構成された表示部、上記表示部に電力を供給する電源装置、この電源装置からの電力供給に基き、上記メモリ性液晶を駆動する駆動制御回路、及びこの駆動制御回路の上記メモリ性液晶の駆動を制御する制御装置を備え、上記制御装置は、上記表示部の表示更新時に、上記表示部の画面を上記電源装置の電源容量に基き、複数のブロックに分割すると共に、上記分割されたブロック毎に時分割して上記表示部の画面のリセットを行うことを特徴とする表示装置。
【請求項２】
上記表示部は、複数枚のメモリ性液晶により構成され、上記制御装置は、上記複数枚のメモリ性液晶を時分割により上記リセットを行うことを特徴とする請求項１記載の表示装置。
【請求項３】
上記電源装置の電源容量を入力する情報入力装置を備えたことを特徴とする請求項１または請求項２記載の表示装置。
【発明の詳細な説明】
【技術分野】
【０００１】
この発明は、メモリ性液晶のリセット状態に発生する電流を低減する表示装置に関するものである。
【背景技術】
【０００２】
従来の液晶表示装置においては、メモリ性液晶の表示更新を行う前に表示をクリアする動作であるリセットという概念はなかった。特許文献１には、部分表示を行う際に、表示領域と非表示領域を時分割して走査することにより、液晶表示パネルの表示を更新するリフレッシュの消費電流を減少させるものが示されている。
【０００３】
【特許文献１】特開２００３−５７２７号公報（第４〜６頁、図１）
【発明の開示】
【発明が解決しようとする課題】
【０００４】
従来のメモリ性液晶表示装置では、表示の更新を行う前に一度画面リセットを行うため、その時に大きな電流が流れるという問題があり、このため、メモリ性液晶表示装置の供給電源を大きくする必要がある。
特許文献１では、部分表示を行う際に、表示領域と非表示領域を時分割して走査することにより、リフレッシュの消費電流を減少させるものの、画面リセットについてのものではなかった。
【０００５】
この発明は、上記のような課題を解決するためになされたものであり、メモリ性液晶のリセット時に発生する電流を低減することができる表示装置を得ることを目的としている。
【課題を解決するための手段】
【０００６】
この発明に係わる表示装置においては、メモリ性液晶により構成された表示部、表示部に電力を供給する電源装置、この電源装置からの電力供給に基き、メモリ性液晶を駆動する駆動制御回路、及びこの駆動制御回路のメモリ性液晶の駆動を制御する制御装置を備え、制御装置は、表示部の表示更新時に、表示部の画面を電源装置の電源容量に基き、複数のブロックに分割すると共に、分割されたブロック毎に時分割して表示部の画面のリセットを行うものである。
【発明の効果】
【０００７】
この発明は、以上説明したように、メモリ性液晶により構成された表示部、表示部に電力を供給する電源装置、この電源装置からの電力供給に基き、メモリ性液晶を駆動する駆動制御回路、及びこの駆動制御回路のメモリ性液晶の駆動を制御する制御装置を備え、制御装置は、表示部の表示更新時に、表示部の画面を電源装置の電源容量に基き、複数のブロックに分割すると共に、分割されたブロック毎に時分割して表示部の画面のリセットを行うので、リセット時の消費電力を最適化することにより電源容量を低減することができる。
【発明を実施するための最良の形態】
【０００８】
実施の形態１．
以下、この発明の実施の形態１を図１〜図５に基づいて説明する。
図１は、この発明の実施の形態１による表示装置を示す構成図である。
図１において、本発明の表示装置は、メモリ性液晶２０１と、それを電気的に駆動する駆動制御回路２０２と、電源容量から予め設定された分割数に基き、駆動制御回路２０２のリセット分割方法、リセット方法を制御する外部の制御装置２００と、駆動制御回路２０２とメモリ性液晶２０１への電力を供給する電源ユニット２０４（電源装置）とにより構成され、メモリ性液晶２０１と駆動制御回路２０２は、表示部１０を構成する。
リセットは、表示部１０の表示更新時に行われる。
【０００９】
図２は、この発明の実施の形態１よる表示装置のリセットパラメータテーブルの一例を示すテーブル図である。
図２において、縦軸に制御項目２．１を、横軸に液晶パネル号２．２を設定している。制御項目２．１として、リセットパルス幅２．１１、リセット分割数２．１２、リセット遅延幅２．１３、リセット回数２．１４が示されている。
【００１０】
図３は、この発明の実施の形態１による表示装置の駆動形態における電圧波形の一例を示すチャート図である。
図３において、リセットパラメータの制御項目のリセットパルス幅３−１、リセット分割数３−３、リセット遅延幅３−２、全体のリセット回数３−４を電圧波形としてチャート図に表現したものである。
【００１１】
図４は、この発明の実施の形態１による表示装置の制御装置を示す機能ブロック図である。
図４において、リセット指令手段１０１は、予め登録されているスケジュールに合わせて所定時間ごとに、リセット指令を出す。リセットパラメータテーブル１１１は、予め設定されたリセット方法、リセット分割方法のリセット条件の情報を保持する。リセット条件判定手段１２１は、リセットパラメータテーブル１１１よりリセット方法、リセット分割方法を選択する。リセット駆動手段１３１は、リセット条件判定手段１２１からのリセット条件より表示部１０を駆動する。
図５は、この発明の実施の形態１による表示装置の制御装置の動作を示すフローチャートである。
【００１２】
次に、リセットパラメータとリセット分割方法を図２及び図３に基づいて説明する。
図２のリセットパラメータテーブルより抽出されたパラメータは、図１の駆動制御回路２０２により図３に示す電圧波形に変換され、メモリ性液晶２０１を駆動する。図２の制御項目のリセットパルス幅２．１１は、メモリ性液晶２０１をリセットする電圧パルス幅を規定するものであり、図３中のリセットパルス幅３−１に対応している。また、このリセットパルス幅２．１１は、正極性の幅、負極性の幅、全体の幅を設定可能とする（図示せず）。図３中では全体の幅の例を示す。
図２の制御項目のリセット分割数２．１２は、図３に示すメモリ性液晶２０１を何分割するかを規定したものであり、図３ではリセット分割数３−３として４分割の例を示す。図２の制御項目のリセット遅延幅２．１３は、リセット分割数３−３により分割されたブロック間のリセット遅れ時間を規定したものであり、図３にリセット遅延幅３−２として示す。
図２の制御項目のリセット回数２．１４は、分割してリセットを何回行うかを規定したものであり、図３中のリセット回数３−４に対応する。図３では、リセット回数が１回の例を示している。
【００１３】
次に、制御装置２００の動作を図５のフローチャートに従って説明する。
図５において、ステップＳ１で、リセット指令手段１０１からのリセット指令の有無を検出する。ステップＳ２で、リセット指令有の場合、リセット条件判定手段１２１は、リセットパラメータテーブル１１１よりリセット情報の取り込みを行う、ステップＳ３で、リセット条件判定手段１２１は、リセット駆動手段１３１へ必要なリセット駆動情報を出力する。ステップＳ４で、リセット駆動手段１３１は、表示部１０のリセット駆動を行う。
以上により、リセット時の駆動制御を行う手段によりメモリ性液晶のリセットを行うことができる。
【００１４】
実施の形態１によれば、表示装置を構成するメモリ性液晶のリセット時の駆動制御を行う手段を設け、その駆動制御の方法を電力条件に合わせて選択する外部の制御装置を設けることにより、消費電力を最適化することで電源容量を低減することができる。
【００１５】
実施の形態２．
次に、実施の形態２を図６〜図１０に基づいて説明する。
図６は、この発明の実施の形態２による表示装置を示す構成図である。
図６において、１０、２００〜２０２、２０４は図１におけるものと同一のものである。図６では、表示部１０を複数枚のメモリ性液晶２０１で構成したものである。外部の制御装置２００より得られるメモリ性液晶パネル間リセット遅延時間情報を基に、複数枚のメモリ性液晶２０１を時分割にリセットする制御を駆動制御回路２０２に対して行うことにより、１枚のメモリ性液晶２０１の電源容量で複数枚のメモリ性液晶２０１をリセットすることができ、消費電力を抑えることができる。
【００１６】
図７は、この発明の実施の形態２による表示装置のリセットパラメータテーブルの一例を示すテーブル図である。
図７において、縦軸に制御項目７．１を、横軸に液晶パネル号２．２を設定している。制御項目７．１として、リセットパルス幅２．１１、リセット分割数２．１２、リセット遅延幅２．１３、リセット回数２．１４、メモリ性液晶間リセット遅延時間７．１１が示されている。
【００１７】
図８は、この発明の実施の形態２による表示装置の駆動形態における電圧波形の一例を示すチャート図である。
図８において、リセットパラメータの制御項目のリセットパルス幅３−１、リセット分割数３−３、リセット遅延幅３−２、全体のリセット回数３−４、メモリ性液晶間リセット遅延時間８−１を、電圧波形としてチャート図に表現したものである。
【００１８】
図９は、この発明の実施の形態２による表示装置の制御装置を示す機能ブロック図である。
図９において、図４のリセット駆動手段１３１を、時分割リセット手段１４１に変更し、他は図４と同じものである。時分割リセット手段１４１は、リセット条件判定手段１２１より受け取ったリセット情報を基に、表示部１０内の複数枚のメモリ性液晶２０１を、時分割にリセット駆動する。
図１０は、この発明の実施の形態２による表示装置の制御装置の動作を示すフローチャートである。
【００１９】
次に、表示部１０が複数枚のメモリ性液晶２０１で構成された場合のリセットパラメータ、リセット分割方法を図７、図８で説明する。
図７は、図２のリセットパラメータの制御項目２．１に、メモリ性液晶パネル間リセット遅延時間７．１１を追加したものである。このメモリ性液晶パネル間リセット遅延時間７．１１は、図８に示すようにメモリ性液晶２０１が複数枚で構成された場合には、メモリ性液晶２０１間毎にリセットタイミングをずらす幅を規定したものである。すなわち、メモリ性液晶パネル間リセット遅延時間７．１１は、図８のメモリ性液晶間リセット遅延時間８−１に相当する。
【００２０】
次に、図１０により、制御装置の動作について説明する。
図１０は、実施の形態１の動作を説明するフローチャート図５のステップＳ４を、ステップＳ５、ステップＳ６に変更したものである。
ステップＳ１〜ステップＳ３は、図５と同じ動作である。ステップＳ５では、表示部１０の複数枚のメモリ性液晶２０１の内、最初のメモリ性液晶のリセット駆動を行う。ステップＳ６では、ｎ枚目のメモリ性液晶２０１のリセット駆動を行う。
以上のように、制御装置２００は、複数枚のメモリ性液晶２０１のリセットのタイミングをずらして、リセット駆動を行うようにしたので、消費電力を押さえる効果がある。
【００２１】
実施の形態２によれば、外部の制御装置より得られるメモリ性液晶パネル間リセット遅延時間情報を基に、複数枚のメモリ性液晶を時分割にリセットする制御を駆動制御回路に対して行うことにより、１枚のメモリ性液晶の電源容量で複数枚のメモリ性液晶をリセットすることができ、消費電力を抑えることができる。
【００２２】
実施の形態３．
次に、実施の形態３を図１１〜図１３に基づいて説明する。
図１１は、この発明の実施の形態３による表示装置を示す構成図である。
図１１において、１０、２００〜２０２、２０４は図６におけるものと同一のものである。すなわち、表示部１０は、複数枚のメモリ性液晶２０１を有している。図１１では、図６のブロック構成に情報入力装置２１０を追加したものである。情報入力装置２１０により、制御装置２００に対して、表示装置に供給する電源容量を出力することで、制御装置２００がその電源容量を基にリセットパルス幅、リセット分割数を決定し、最適なリセット条件を自動的に抽出することができる。
【００２３】
図１２は、この発明の実施の形態３による表示装置の制御装置を示す機能ブロック図である。
図１２において、図９の構成に電源容量入力手段２１１とリセット条件抽出手段１５１を加えたものであり、他は図９と同じである。制御装置２００に設置されたリセット条件抽出手段１５１は、情報入力装置２１０の電源容量入力手段２１１からの電源容量を基に、リセット制御を行うのに必要なデータをリセットパラメータテーブルに書き込む。
図１３は、この発明の実施の形態３を示す表示装置の制御装置の動作を示すフローチャートである。
【００２４】
図１３は、実施の形態２の動作を説明するフローチャート図１０に、ステップＳ７〜ステップＳ１１を加えたものである。
ステップＳ１〜ステップＳ６は、図１０と同じ動作である。ステップＳ１で、リセット指令がない場合に実行されるステップＳ７では、情報入力装置２１０からの電源容量の入力の有無を検出し、有りの場合のステップＳ８では、入力された電源容量からリセットの分割数を算出する。ステップＳ９では、リセットパルス幅を決定する。ステップＳ７で、電源容量入力が無い場合には、ステップＳ１に戻る。
ステップＳ１０では、ステップＳ８、ステップＳ９での算出結果による消費電力と、情報入力装置２１０から入力された電源容量とを比較して、消費電力が電源容量を超えていた場合には、再度、ステップＳ８に戻る。超えていなかった場合は、ステップＳ１１で、その算出結果の情報をリセットパラメータテーブルに保持し、ステップＳ１に戻る。
以上のように、制御装置２００は、情報入力装置２１０からの電源容量情報より、自動的にリセット条件を抽出することができる。
【００２５】
実施の形態３によれば、情報入力装置により、制御装置に対して、表示装置に供給する電源容量を出力することで、制御装置がその電源容量を基にリセットパルス幅、リセット分割数を決定し、最適なリセット条件を自動的に抽出することができる。
【図面の簡単な説明】
【００２６】
【図１】この発明の実施の形態１による表示装置を示す構成図である。
【図２】この発明の実施の形態１よる表示装置のリセットパラメータテーブルの一例を示すテーブル図である。
【図３】この発明の実施の形態１による表示装置の駆動形態における電圧波形の一例を示すチャート図である。
【図４】この発明の実施の形態１による表示装置の制御装置を示す機能ブロック図である。
【図５】この発明の実施の形態１による表示装置の制御装置の動作を示すフローチャートである。
【図６】この発明の実施の形態２による表示装置を示す構成図である。
【図７】この発明の実施の形態２による表示装置のリセットパラメータテーブルの一例を示すテーブル図である。
【図８】この発明の実施の形態２による表示装置の駆動形態における電圧波形の一例を示すチャート図である。
【図９】この発明の実施の形態２による表示装置の制御装置を示す機能ブロック図である。
【図１０】この発明の実施の形態２による表示装置の制御装置の動作を示すフローチャートである。
【図１１】この発明の実施の形態３による表示装置を示す構成図である。
【図１２】この発明の実施の形態３による表示装置の制御装置を示す機能ブロック図である。
【図１３】この発明の実施の形態３を示す表示装置の制御装置の動作を示すフローチャートである。
【符号の説明】
【００２７】
１０  表示部
１０１  リセット指令手段
１１１  リセットパラメータテーブル
１２１  リセット条件判定手段
１３１  リセット駆動手段
１４１  時分割リセット手段
１５１  リセット条件抽出手段
２００  制御装置
２０１  メモリ性液晶
２０２  駆動制御回路
２０４  電源ユニット
２１０  情報入力装置
２１１  電源容量入力手段
【図１】
2006323071.tif 000003
【図２】
2006323071.tif 000004
【図３】
2006323071.tif 000005
【図４】
2006323071.tif 000006
【図５】
2006323071.tif 000007
【図６】
2006323071.tif 000008
【図７】
2006323071.tif 000009
【図８】
2006323071.tif 000010
【図９】
2006323071.tif 000011
【図１０】
2006323071.tif 000012
【図１１】
2006323071.tif 000013
【図１２】
2006323071.tif 000014
【図１３】
2006323071.tif 000015